(57)【特許請求の範囲】
【請求項１】
高炉内に装入後の原料から放射される遠赤外領域よりも長い波長の電磁波を、高炉炉頂部において前記装入後原料の積み形状を見渡せる位置で受信する受信ステップと、
前記受信した電磁波のスペクトルを解析するスペクトル解析ステップと、
前記スペクトル解析ステップにより検出された吸収スペクトルと高炉内ガスに含まれる物質の既知の吸収スペクトルとの周波数差に基づいて、高炉内ガスの流速を演算するガス流速演算ステップと、
を含むことを特徴とするガス流速計測方法。
【請求項２】
高炉炉頂部において装入後の原料の積み形状を見渡せる位置から、高炉内ガスに含まれる物質の既知の吸収スペクトルを含む所定の周波数帯の電磁波を送信する送信ステップを含み、前記受信ステップは、前記送信ステップで送信した所定の周波数帯の電磁波を受信することを特徴とする請求項１に記載のガス流速計測方法。
【請求項３】
高炉内に装入後の原料の積み形状を見渡せる位置に設けた遠赤外領域よりも長い波長の電磁波を高炉炉頂部において受信する受信部と、
前記受信部によって受信された電磁波のスペクトルを解析するスペクトル解析部と、
前記スペクトル解析部により検出された吸収スペクトルと高炉内ガスに含まれる物質の既知の吸収スペクトルとの周波数差に基づいて、高炉内ガスの流速を演算するガス流速演算部と、
を備えることを特徴とするガス流速計測装置。
【請求項４】
高炉炉頂部において装入後の原料の積み形状を見渡せる位置に設けられ、高炉内ガスに含まれる物質の既知の吸収スペクトルを含む所定の周波数帯の電磁波を送信する送信部を備え、
前記受信部は、前記送信部から送信された所定の周波数帯の電磁波を受信することを特徴とする請求項３に記載のガス流速計測装置。
【発明の詳細な説明】
【技術分野】
【０００１】
本発明は、高炉炉頂部における高炉内ガスの流速を計測するガス流速計測方法およびガス流速計測装置に関する。
【背景技術】
【０００２】
鉄鋼の生産設備である高炉では、炉頂から鉄鉱石、焼結石、コークスなどの原料を装入し、炉下部に設けられた羽口から熱風を吹き込み、鉄鉱石、焼結石とコークスの還元反応によって、銑鉄を生産し、炉底部に溜まった銑鉄およびスラグは出銑孔から順次排出される。
【０００３】
炉頂部では、旋回シュートの動きが制御され、所定の平均粒径をもった所定量の装入原料が所定の位置に積層される。このときに装入された原料の上面をストックラインと呼ぶが、炉下部での還元反応が進むにつれ、徐々にこのストックラインが下がっていき、その上から新たな原料が装入され、新たなストックラインを形成する、という操業が繰り返される。
【０００４】
高炉で銑鉄を１ｔ生産するのに必要な還元材としてのコークスの量をコークス比というが、高炉においてはこれが重要な因子で、コークス比を小さくできれば二酸化炭素排出量を抑制することができる。高炉ではコークス比をできるだけ減らすような原料の装入方法が取られているが、二酸化炭素の排出抑制のためにさらなるコークス比の削減が求められている。
【０００５】
高炉で効率よく銑鉄を生産するためには炉下部での還元反応が、炉の中心に近い部分だけでなく、炉の周辺部（炉壁に近い部分）でも起こるようにできればよいと考えられる。ところが、羽口から吹き込まれる熱風は炉の中心方向に向けて吹き込まれるため、炉壁に近い部分では炉外に熱を放出してしまい、炉の中心に近い部分よりも反応性が低下していると考えられる。そこで、羽口から吹き込まれた熱風が、周辺へも十分に行き渡るように装入物の装入方法を制御して、装入後の原料の積層状況に適切な分布を持たせることができれば、コークス比を抑制した上で効率的に高炉操業を行うことが可能となる。逆に、周辺へのガス流が多くなるのも操業上問題となる。
【０００６】
したがって、この装入物分布状況が適切なものであることを確認することが必要となるが、その方法として、高炉の炉下部から吹き上がってくる一酸化炭素や二酸化炭素の流速を計測する方法がある。つまり、炉底部から吹き上がってくるガス流速が遅いということは、高炉の高さ方向にガスの流れを阻害する要因があると考えられ、ガスを通しやすくするためのスリットの役目を果たすコークスの装入方法が適切ではないと考えられる。
【０００７】
そこで、原料のストックラインでのガス流速の分布を計測することが求められる。このガス流速分布がわかれば、高炉水平断面を流れるガス流速が全体的に同じ速度になるように装入物分布の設計が可能となり、また、実操業における装入物分布が適切であることを確認できる。そして、一様なガス流速を持つ装入物分布が実現できれば、ガス利用率を向上することができ、コークス比を低減した装入物分布を行うことができる。ここで、ガス利用率とは、コークス由来の一酸化炭素と二酸化炭素の比であって、大きい値であれば効率的な操業を行っていることを示す。
【０００８】
ガス流速計測方法としては、従来から、特許文献１に記載の技術が知られている。ここに記載のレーザドップラー流速計は、２種類の事前に決定した異なるトレーサガスにレーザー光を照射し、それぞれのトレーサガスによるレーザー光の吸収スペクトル（吸収が起こるピーク値）を検出し、それぞれの吸収スペクトルのガス流速に応じたドップラーシフト量から、トレーサガスのガス流速を求める。さらに、それぞれのガス濃度により変化するスペクトル強度を用いてそれぞれのガスのガス流速を重み付け平均して、自動車の排気ガスの流速を求めるものである。
【０００９】
また、高炉炉頂部におけるガス流速の計測方法として、たとえば特許文献２や特許文献３に記載の技術などが知られている。特許文献２は、カメラにより炉内を撮像し、その画像を解析してガス流の輪郭を抽出し、抽出されたガス流の輪郭位置の所定時間内における変化量を求めて、高炉内部のガス流速を得るものである。
【００１０】
また特許文献３は、炉径方向に駆動可能で炉内の測定点に停止させることが可能な制御装置を付与したランスの先端に、一定の周波数を発信するマイクロ波レーダーを取り付け、送信したマイクロ波による炉内の装入物または浮遊粉塵からの反射波を、ランスに複数設置した受信用アンテナで受信し、炉下部から吹き上がるガスによって速度を得た粉塵のドップラー効果を観測してそのガス流速を得る技術である。
【先行技術文献】
【特許文献】
【００１１】
【特許文献１】特開２００８−１７０３９４号公報
【特許文献２】特許第３２０３９７７号公報
【特許文献３】特開昭６３−５７７０７号公報
【発明の概要】
【発明が解決しようとする課題】
【００１２】
しかしながら、特許文献１のレーザドップラー流速計や、特許文献２のカメラを用いたガス流速計測技術を適用する場合、高炉内ではコークスや鉄鉱石に付着して炉内に装入された粉塵が飛散するため、可視光または赤外線などの波長が短い領域の電磁波では、視野が遮られ遠くまで見通して計測を行うことができない。
【００１３】
とくに、近年新たに改修された高炉は、ベルレス式という炉頂ベルがないタイプのものが増加している。これは旋回シュートによって適切な装入物分布を実現しやすくするためのものであるが、旋回シュートによって粉塵飛散を巻き起こすため、ストックラインより上の空間に粉塵が浮遊しやすくなり、視野を遮る要因となっている。
【００１４】
また、特許文献３のようにマイクロ波を発信して粉塵による反射波のドップラー効果をもとにガス流速を求める方法では、粉塵濃度が高く、すべての粉塵が一様にガス流速を得ているわけでなく、また、反射波が散乱するため、不要信号（ノイズ信号）と本来の測定対象として有効な信号との区別をつけるのが困難で、測定結果にばらつきが生じる。
【００１５】
本発明は上記に鑑みてなされたものであって、粉塵濃度が高い高炉内においても、確実かつ高い精度で高炉内のガスの流速を計測するガス流速計測技術を提供することを目的とする。
【課題を解決するための手段】
【００１６】
上述した課題を解決し、目的を達成するために、本発明にかかるガス流速計測方法は、高炉内に装入後の原料から放射される遠赤外領域よりも長い波長の電磁波を、高炉炉頂部において前記装入後原料の積み形状を見渡せる位置で受信する受信ステップと、前記受信した電磁波のスペクトルを解析するスペクトル解析ステップと、前記スペクトル解析ステップにより検出された吸収スペクトルと高炉内ガスに含まれる物質の既知の吸収スペクトルとの周波数差に基づいて、高炉内ガスの流速を演算するガス流速演算ステップと、を含むことを特徴とする。
【００１７】
また、本発明にかかるガス流速計測方法は、上記の発明において、高炉炉頂部において装入後の原料の積み形状を見渡せる位置から、高炉内ガスに含まれる物質の既知の吸収スペクトルを含む所定の周波数帯の電磁波を送信する送信ステップを含み、前記受信ステップは、前記送信ステップで送信した所定の周波数帯の電磁波を受信することを特徴とする。
【００１８】
また、本発明にかかるガス流速計測装置は、高炉内に装入後の原料の積み形状を見渡せる位置に設けた遠赤外領域よりも長い波長の電磁波を高炉炉頂部において受信する受信部と、前記受信部によって受信された電磁波のスペクトルを解析するスペクトル解析部と、前記スペクトル解析部により検出された吸収スペクトルと高炉内ガスに含まれる物質の既知の吸収スペクトルとの周波数差に基づいて、高炉内ガスの流速を演算するガス流速演算部と、を備えることを特徴とする。
【００１９】
また、本発明にかかるガス流速計測装置は、上記の発明において、高炉炉頂部において装入後の原料の積み形状を見渡せる位置に設けられ、高炉内ガスに含まれる物質の既知の吸収スペクトルを含む所定の周波数帯の電磁波を送信する送信部を備え、前記受信部は、前記送信部から送信された所定の周波数帯の電磁波を受信することを特徴とする。
【発明の効果】
【００２０】
本発明によれば、高炉内から自発的に発せられる、マイクロ波より波長が長く粉塵を透過する電磁波を受信し、そのスペクトルを解析して高炉内ガスの吸収帯の観測をするため、マイクロ波を照射して粉塵による反射波のドップラーシフトを捉える従来の方法よりも、粉塵の影響を受けずに確実に高精度のガス流速計測を行うことができる。しかも、粉塵の反射波という間接的な方法ではなく、ガス流速を直接観測できるので、有効な信号が確実に得られ、測定の時間分解能がよい。そのため、高炉内から発せられる電磁波の強度が弱いときには、高炉内ガスの吸収帯を含む電磁波を送信すれば確実に有効な吸収スペクトルを観測することができ、確実に高精度のガス流速計測を行うことができる。
【図面の簡単な説明】
【００２１】
【図１】図１は、本発明の実施の形態１にかかるガス流速計測装置を含む高炉の構成を示す模式図である。
【図２】図２は、図１に示したガス流速計測装置によるガス流速計測処理手順を示すフローチャートである。
【図３】図３は、ドップラーシフトを起こしたＣＯガスの吸収スペクトルを示す図である。
【図４】図４は、出力部に表示出力されたガス流速の時系列変化を示す図である。
【図５】図５は、周波数コム方式を説明するための図である。
【図６】図６は、変形例１による受信用アンテナの設置例を示す図である。
【図７】図７は、変形例２による受信用アンテナの設置例を示す図である。
【図８】図８は、本発明の実施の形態２にかかるガス流速計測装置を含む高炉の構成を示す模式図である。
【図９】図９は、図８に示したガス流速計測装置によるガス流速計測処理手順を示すフローチャートである。
【図１０】図１０は、図８に示したスペクトル解析部によるスペクトル解析の一例を示す図である。
【発明を実施するための形態】
【００２２】
以下に、図面を参照して、本発明にかかるガス流速計測方法およびガス流速計測装置の実施の形態について説明する。なお、この実施の形態によりこの発明が限定されるものではない。
【００２３】
［実施の形態１］
図１は、本発明の実施の形態１にかかるガス流速計測装置１を含む高炉２の構成を示す模式図である。図１において、高炉２は、炉頂部に設けられた旋回シュート４を回転させながら高炉炉体３内に装入物（原料）５を装入して積層させ、ストックライン６を形成する。高炉炉体３内の炉下部の図示しない羽口から吹き込まれた熱風は、ストックライン６から吹き上がり、炉頂部に設けられた集塵ダクト７によって吸引される。
【００２４】
ガス流速計測装置１は、この高炉２内の熱風に含まれるガスの流速を計測する装置であり、高炉炉体３の外部に設けられた装置本体１０と、高炉炉体３内に設けられた受信用アンテナ１６とを有する。受信用アンテナ１６は、ケーブルあるいは導波管を介して装置本体１０の接続部１７に接続される。
【００２５】
装置本体１０は、入力部１１、出力部１２、受信用アンテナ１６が受信した遠赤外領域よりも長い波長の電磁波のスペクトルを解析するスペクトル解析部１３、スペクトル解析部１３の解析によって検出した吸収スペクトルと既知の吸収スペクトルとの周波数差をもとに高炉内ガスの流速を演算するガス流速演算部１４、記憶部１５を有し、これら各部は、制御部Ｃに接続される。制御部Ｃは、ＣＰＵなどによって実現され、入力部１１は、ポインティングデバイスなどによって実現され、出力部は液晶ディスプレイなどによって実現され、記憶部１５はハードディスク装置などによって実現される。また、スペクトル解析部１３には、接続部１７を介して受信用アンテナ１６が接続される。
【００２６】
受信用アンテナ１６は、高炉炉体２の炉頂部に設けられ、受信方向を鉛直下向きに指向して設置される。ここで、ストックライン６から吹き上がってきた熱風は、炉頂部の集塵ダクト７によって吸引される。このため、高炉内ガスを含む熱風の流速はストックライン６の付近においては、鉛直成分を持つ。したがって、炉頂部に設けられた受信用アンテナ１６は、熱風の流速の鉛直成分を捉えることが可能である。
【００２７】
ここで、図２に示したフローチャートを参照して、制御部Ｃによるガス流速計測処理手順について説明する。図２において、受信用アンテナ１６が高炉内に含まれる電磁波を受信すると（ステップＳ１０１）、受信信号がスペクトル解析部１３に入力される。スペクトル解析部１３は、周波数成分ごとの強度を分析するスペクトル解析を行って（ステップＳ１０２）、強度が最小になる周波数を読み取る。そして、この最小の周波数ｆ’を高炉内ガスの吸収スペクトルとして検出する（ステップＳ１０３）。
【００２８】
この検出された吸収スペクトルは、高炉内ガスの流速に応じてドップラーシフトを起こしたものである。そこで、ガス流速演算部１４は、高炉内ガスの固有の既知の吸収スペクトルの周波数ｆと、ドップラーシフトした吸収スペクトルの周波数ｆ’とをもとに、周波数のシフト量Δｆを求め（ステップＳ１０４）、高炉内ガスのガス流速ｖを演算する処理を行い（ステップＳ１０５）、このガス流速ｖを逐次、記憶部１５に記憶する。
【００２９】
その後、出力部１２は、適宜な表示方法で記憶部１５に記憶されたガス流速ｖを表示出力する処理を行う（ステップＳ１０６）。
【００３０】
なお、ガス流速演算部１４は、次式（１）に基づいて、ガス流速ｖを算出するものである。すなわち、高炉内ガスの固有の吸収スペクトルの周波数ｆは、あらかじめわかっていることから、流速ｖの高炉内ガスについて観測される吸収スペクトルの周波数ｆ’のシフト量Δｆは、次式（１）で表される。
Δｆ＝ｆ−ｆ’＝（ｖ／ｃ）ｆ                                        …（１）
ただし、ｃは光速である。
【００３１】
（適用例）
ここで、高炉内ガスの成分には、種々の成分があるが、おもなガス組成としては、水蒸気（Ｈ２Ｏ）、ＣＯおよびＣＯ２であると考えられる。また、その他にもＨ２Ｓ、ＮＯＸ（Ｘ＝１，２）などが含まれている。
【００３２】
ＣＯなどのガスでは、回転遷移による吸収が発生し、遠赤外領域よりも長い波長の電磁波を吸収する。例えばＣＯガスでは１１５ＧＨｚに吸収スペクトルが存在することが知られている。そこで、本適用例では、高炉内ガスとしてＣＯに着目する。
【００３３】
ＣＯガスには、１００ＧＨｚ以上の周波数帯域で吸収スペクトルが多数存在することがわかっている。図３は、観測された複数の吸収スペクトルのうちの１つを表したものである。１１５ＧＨｚ付近の吸収スペクトルに着目すると、ドップラーシフトしていない１１５ＧＨｚの既知の吸収スペクトルからΔｆ＝２ｋＨｚだけ高周波側にシフトしている。このことから、式（１）を用いて、ガス流速ｖ＝５．２（ｍ/ｓ）を算出することができる。
【００３４】
また、出力部１２は、たとえば図４に示すように、ガス流速の２４時間の時系列変化を表示出力することができる。
【００３５】
なお、スペクトル解析装置１３において、基本となる計測周波数ｆ’に対してそのシフト量Δｆが非常に小さいため周波数分解能を向上させる必要があるが、これは周波数コム方式と呼ばれる方法によって実現することができる。
【００３６】
周波数コム方式では、図５に示すように、既知の周波数ｆ０の光源を周波数コム発生装置に入力し、周波数コム（周波数空間で等間隔ｆｄに並んだ櫛（コム）状のスペクトル）を発生させる。周波数が未知の信号スペクトルｆＸは、周波数コムスペクトルのうち周波数が一番近いものと干渉し、周波数ｆｂのビート波が発生する。ビート波は元の信号よりもダウンスケーリングされており、解析が容易な周波数帯域にスケーリングしなおすことが可能である。
【００３７】
ここで、これらの周波数は、次式（２）の関係を有する。
ｆＸ＝ｆｂ＋ｆ０＋ｎｆｄ                                             …（２）
ただし、ｎは自然数である。
【００３８】
この周波数コム方式によれば、１０−１２程度の周波数分解能を得られる。そして、このダウンスケーリングされた信号を高精度なスペクトラムアナライザに入力しスペクトル解析することができる。
【００３９】
なお、このようにして求められるガス流速は、ストックライン６が形成する面のある領域中を上昇してくるガスの流速の平均値を表すことになる。この領域はアンテナの形状から決定される指向性によって決まる。
【００４０】
この受信用アンテナ１６は、計測したい周波数帯域に最適化されたホーンアンテナ、またはパラボラアンテナなどであればよい。アンテナの指向性を上げて計測する範囲を狭めるためには、誘電体レンズなどを使用してもよい。
【００４１】
（変形例１）
また、図６に示したように、高炉炉体３の内周に円環状に受信用アンテナ１６を複数配置して、複数箇所のガス流速を測ることが好ましい。この複数箇所のガス流速をもとに全体のガス流速分布を計測することが可能になるからである。なお、図６では、高炉炉体３の内周に沿って複数の受信用アンテナ１６を設けたが、もちろん、高炉炉体３の中央に配置するようにしてもよい。要は、ストックライン６の全面にわたって計測されることが好ましい。
【００４２】
（変形例２）
あるいは、図７に示したように、受信用アンテナ１６を中央側に傾いた回転軸１６ａを中心に回転されるようにしてもよい。そして、高炉炉体３内の全体を見渡すように向き（回転角度）を定期的に変えてガス流速を測定することによって、１つの受信用アンテナ１６で、高炉炉体３内の全体のガス流速分布を計測することができる。この場合、アンテナの向きが鉛直方向に対して角度をもつことになるので、測定されたガス流速は、鉛直方向のガス流速成分に補正する必要がある。
【００４３】
〔実施の形態２〕
つぎに、この発明の実施の形態２について説明する。図８は、この発明の実施の形態２にかかるガス流速計測装置１を含む高炉２の構成を示す模式図である。この実施の形態２では、特定帯域の周波数の電磁波を生成する送信部１８と、送信部１８が生成した電磁波をストックライン６に向けて送信する送信用アンテナ１９とを有する。その他の構成は実施の形態１と同じであり、同一構成部分には同一符号を付している。
【００４４】
送信部１８は、着目した高炉内ガスの吸収スペクトルの周波数Ｆ１を中心とする帯域Ｆ１±ΔＦ１の正弦波を連続的に発生する。送信用アンテナ１９は、受信用アンテナ１６と同様に、高炉炉体３内の炉頂部に、鉛直方向下向きに指向して設けられる。なお、送信用アンテナ１９は、接続部１７１を介して装置本体１０に接続される。また、送信用アンテナ１９は、受信用アンテナ１６と同様に、使用する周波数帯域に最適化したホーンアンテナやパラボラアンテナを使用することが望ましい。
【００４５】
なお、送信アンテナ１９と受信用アンテナ１６とを１つのアンテナとして実現してもよい。その場合、方向性結合器などの共用器を設ける必要がある。
【００４６】
この実施の形態２では、着目したＣＯなどの高炉内ガスから放射される電磁波が弱い場合でも精度高くガス流速の計測を行うことができる。すなわち、吸収スペクトルの吸収量は、着目するガスの濃度に依存するため、着目したガスの濃度が低い場合には、放射スペクトルが全体に弱いことが考えられるが、この実施の形態２では、吸収スペクトルを含む帯域の電磁波を送信して高炉内ガスの吸収スペクトルを他の帯域の反射スペクトルとの強度差を大きくすることができ、これによって吸収スペクトルの峻別を容易にしている。
【００４７】
つぎに、図９に示したフローチャートを参照して、この実施の形態２によるガス流速計測処理手順について説明する。図９において、まず、送信部１８は、着目したガスの吸収スペクトルが存在する帯域（Ｆ１±ΔＦ１）の周波数の電磁波を生成し、送信用アンテナ１９から高炉内に送信する（ステップＳ２０１）。ここで、ΔＦ１は、着目したガスの吸収スペクトルのシフト量ΔＦ２より十分に大きくなるように設定される。受信用アンテナ１６は、送信された電磁波を含む高炉内の電磁波を受信する（ステップＳ２０２）。送信された電磁波の一部は高炉内ガスに吸収されるので、この吸収スペクトルを観測できることになる。
【００４８】
その後の処理（ステップＳ２０３〜Ｓ２０７）は、図２に示した処理（ステップＳ１０２〜Ｓ１０６）と同様である。つまり、受信信号がスペクトル解析部１３に入力されると、スペクトル解析部１３は、周波数成分ごとの強度を分析するスペクトル解析を行って（ステップＳ２０３）、強度が最小になる周波数を読み取って高炉内ガスの吸収スペクトルとして検出し（ステップＳ２０４）、着目したガスの固有の既知の吸収スペクトルの周波数Ｆ１と、ドップラーシフトした後に観測される吸収スペクトルの周波数とをもとに、シフト量ΔＦ２を求め（ステップＳ２０５）、ガス流速ｖを演算する処理を行い（ステップＳ２０６）、ガス流速ｖを記憶部１５に逐次記憶させ、出力部１２が、記憶部１５に記憶された演算結果を表示する表示処理を行う（ステップＳ２０７）。
【００４９】
図１０は、この実施の形態２によるスペクトル解析の結果を示した図である。このときＦ1＋ΔＦ２の位置に（Ｆ1＞ΔＦ２＞０）吸収が見られた。着目したガスではＦ１の周波数が吸収されることがわかっているので、式（１）を用いて三角Ｆ２からガス流速ｖを求め、記憶部１５にデータを順次記録した。出力部１２は、図５と同様に、ガス流速ｖの２４時間の時系列変化を表示出力する。
【００５０】
この実施の形態２では、上述したように、着目したガスから放射される電磁波が弱い場合であってもガス流速を精度高く測定することができる。
【００５１】
ところで、たとえば、ＣＯの吸収スペクトルが１１５ＧＨｚ付近にあり、これを波長に換算すると、２．５ｍｍ程度となるが、高炉炉体３内には粉塵が飛散しており、スペクトルの波長と粉塵の大きさとが同程度であった場合には、粉塵による電磁波の散乱の影響が大きくなるため、計測精度が悪化する恐れがある。この場合には、吸収スペクトルがより低周波側にあるＮＯ２（吸収スペクトルは５３ＧＨｚ付近に存在）などに着目して変更することによって、計測精度を向上させることができる。
【００５２】
また、高炉炉体３内で反応を起こさず、かつ、吸収スペクトルが適切な周波数帯域に存在する気体を炉下部の羽口から吹き込まれる熱風中に混入し、これを高炉内ガスとして、このガスの吸収スペクトルを観測してガス流速を求めるようにしてもよい。
【００５３】
上述した実施の形態１，２では、高炉炉体３内の粉塵などの物理的に異なる大きさをもってものに対するドップラーシフト量をもとにガス流速を求めるのではなく、高炉内ガスの吸収スペクトルのドップラーシフト量をもとにガス流速を直接求めるようにしているので、粉塵濃度が高い高炉内であっても精度の高いガス流速を計測することができる。
【符号の説明】
【００５４】
１  ガス流速計測装置
２  高炉
３  高炉炉体
４  旋回シュート
５  装入物
６  ストックライン
７  集塵ダクト
１０  装置本体
１１  入力部
１２  出力部
１３  スペクトル解析部
１４  ガス流速演算部
１５  記憶部
１６  受信用アンテナ
１７，１７１  接続部
１８  送信部
１９  送信用アンテナ
Ｃ  制御部
【図１】
0005482369.tif 000002
【図２】
0005482369.tif 000003
【図３】
0005482369.tif 000004
【図４】
0005482369.tif 000005
【図５】
0005482369.tif 000006
【図６】
0005482369.tif 000007
【図７】
0005482369.tif 000008
【図８】
0005482369.tif 000009
【図９】
0005482369.tif 000010
【図１０】
0005482369.tif 000011